(57)【要約】【課題】ポンプディスペンサーを袋容器に装着する際の気密性を、簡単な操作により安定した状態で確保できる袋容器用ポンプディスペンサーの取付け構造を提供する。【解決手段】シート材料を用いて形成された袋容器１１に設けられた注出口部材２０に、着脱可能に装着されるポンプディスペンサー３０の取付け構造であって、注出口部材２０は、袋容器１１に固着される固着部２１と、固着部２１から立設する円筒形状のノズル部２２とを備える。ポンプディスペンサー３０のポンプハウジング３１は、ノズル部２２に挿通可能な外径を有している。ノズル部２２の内周面とポンプハウジング３１との間の隙間を埋めて、ポンプハウジング３１の外周面に沿って環状に突出する弾性体シーリングリング３３を備える。ポンプディスペンサー３０は、弾性体シーリングリング３３をノズル部２２の内周面に密着させた状態で、注出口部材２０に装着される。【選択図】図１
2019051981.tif 000002
【特許請求の範囲】
【請求項１】
シート材料を用いて形成された袋容器に設けられた注出口部材に、着脱可能に装着されるポンプディスペンサーの取付け構造であって、
前記注出口部材は、前記袋容器に固着される固着部と、該固着部から立設して設けられた円筒形状のノズル部とを備えており、
前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、
前記ポンプディスペンサーは、前記弾性体シーリングリングを前記ノズル部の内周面に密着させた状態で、前記注出口部材に装着されている袋容器用ポンプディスペンサーの取付け構造。
【請求項２】
前記弾性体シーリングリングは、硬度が２０〜７０Ａの弾性体からなる請求項１記載の袋容器用ポンプディスペンサーの取付け構造。
【請求項３】
前記弾性体シーリングリングは、前記ポンプハウジングの径方向外側に向けて先細りとなる部分を含む断面形状を備えている請求項１又は２記載の袋容器用ポンプディスペンサーの取付け構造。
【請求項４】
前記弾性体シーリングリングは、三角形状又は台形状の断面形状を備えている請求項３記載の袋容器用ポンプディスペンサーの取付け構造。
【請求項５】
前記ノズル部は、高さ方向に３等分した下部における内面側に、前記ノズル部の中心方向に向かって突出する絞り突起を有しており、該絞り突起に前記弾性体シーリングリングが係止されることで、ポンプ操作時における上方からの荷重を支持するようになっている請求項１〜４のいずれか1項記載の袋容器用ポンプディスペンサーの取付け構造。
【請求項６】
前記袋容器は、前記注出口部材を袋容器用ホルダーに着脱可能に係止して、該袋容器用ホルダーに支持された状態で配設されている請求項１〜５のいずれか１項記載の袋容器用ポンプディスペンサーの取付け構造。
【請求項７】
シート材料を用いて形成された袋容器に設けられた注出口部材に、着脱可能に装着されるポンプディスペンサーであって、
前記ポンプディスペンサーのポンプハウジングは、前記注出口部材のノズル部の中空内部に挿通可能な外径を有していると共に、前記ノズル部の内周面と前記ポンプハウジングとの間の隙間を埋める、前記ポンプハウジングの外周面に沿って環状に突出する弾性体シーリングリングを備えており、
前記弾性体シーリングリングを前記ノズル部の内周面に密着させた状態で、前記袋容器に前記注出口部材に装着されるポンプディスペンサー。
【請求項８】
注出口部材が設けられており、該注出口部材にポンプディスペンサーが装着されている、シート材料を用いて形成された袋容器であって、
前記注出口部材は、前記シート材料に固着される固着部と、該固着部から立設して設けられた円筒形状のノズル部とを備えており、
前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、
前記ポンプディスペンサーは、前記弾性体シーリングリングを前記ノズル部の内周面に密着させた状態で、前記注出口部材に装着されている袋容器。
【請求項９】
注出口部材にポンプディスペンサーが装着されている、シート材料を用いて形成された袋容器と、該袋容器を着脱可能に係止して、該袋容器を支持した状態で配設する袋容器用ホルダーとを含む組合せセット製品であって、
前記注出口部材は、前記シート材料に固着される固着部と、該固着部から立設して設けられた円筒形状のノズル部とを備えており、
前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、
前記ポンプディスペンサーは、前記弾性体シーリングリングを前記ノズル部の内周面に密着させた状態で、前記注出口部材に装着されており、
前記袋容器用ホルダーは、前記袋本体を吊り下げた状態で保持すると共に、前記ポンプディスペンサーのノズルヘッドを押し下げる力を支持する組合せセット製品。
【発明の詳細な説明】
【技術分野】
【０００１】
本発明は、袋容器用ポンプディスペンサーの取付け構造に関し、特に、シート材料を用いて形成された袋容器の注出口部材に、ポンプディスペンサーを着脱可能に装着するための袋容器用ポンプディスペンサーの取付け構造に関する。
【背景技術】
【０００２】
ポンプディスペンサーは、内容液を容器から汲み上げて吐出させる公知の吐出具であり、ポンプハウジング、吸上げ筒部、ノズルヘッド等を備えている。ポンプディスペンサーは、例えば固定用のキャップ部を介して容器の口首部に着脱可能に装着されて用いられ、着脱可能となっていることで、容器に内用液を詰め替えながら、繰り返し使用することができるようになっている。
【０００３】
一方、近年、環境負荷の低減や省資源化等を目的として、内容液を収容する容器として、容器本体がプラスチック製やガラス製等の硬質の容器からなるものに代えて、樹脂製のシート材料を用いて形成された、袋状の容器本体（袋本体）を備える袋容器が多用されており、このような袋容器においても、例えば外装容器を用いることによって、袋容器にポンプディスペンサーを着脱可能に装着できるようにしたものが開示されている（例えば、特許文献１参照）。
【０００４】
また、袋容器にポンプディスペンサーを装着して用いる場合、袋容器の袋本体は、軟質の柔らかいシート材料を用いて形成されており、ポンプディスペンサーを操作する際の押し下げ力を、袋本体によって支持させることができないことから、袋容器を、例えば底板部と、底板部から立設して設けられた立設部と、立設部の上端部から張り出して設けられた張出し係止部とを備える容器ホルダーに装着して、この容器ホルダーによって押し下げ力を支持させるようにしたものも開示されている（例えば、特許文献２参照）。
【先行技術文献】
【特許文献】
【０００５】
【特許文献１】特開２００４−５１１９７号公報
【特許文献２】実用新案登録第３０６６８３１号公報
【発明の概要】
【発明が解決しようとする課題】
【０００６】
袋容器にポンプディスペンサーを装着して用いる場合、軟質の柔らかいシート材料を用いて形成された袋本体を減容変形させながら、空気置換によることなく内容液を汲み上げて行くことによって、収容された内容液の残量を少なくできることから、ポンプディスペンサーを袋容器に着脱可能に装着する際には、口首部となる注出口部材と、装着されるポンプディスペンサーとの間に気密性を確保する必要がある。このため、従来のポンプディスペンサーが装着された袋容器では、例えば固定用のキャップ部を介してポンプディスペンサーを注出口部材に装着する際に、キャップ部としてネジキャップを用いることで、気密性を確保できるようにしていたが、ネジキャップによるシールだけでは気密性が安定せず、例えばネジキャップが緩むこと等により気密性が損なわれると、袋本体を十分に減容できなくなって、残量が増えることになる。
【０００７】
本発明は、ポンプディスペンサーを袋容器の注出口部材に装着する際の気密性を、簡単な操作によって、安定した状態で容易に確保することのできる袋容器用ポンプディスペンサーの取付け構造、ポンプディスペンサー、袋容器、及び組合せセット製品を提供することを目的とする。
【課題を解決するための手段】
【０００８】
本発明は、シート材料を用いて形成された袋容器に設けられた注出口部材に、着脱可能に装着されるポンプディスペンサーの取付け構造であって、前記注出口部材は、前記袋容器に固着される固着部と、該固着部から立設して設けられた円筒形状のノズル部とを備えており、前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、前記ポンプディスペンサーは、前記弾性体シーリングリングを前記ノズル部の内周面に密着させた状態で、前記注出口部材に装着されている袋容器用ポンプディスペンサーの取付け構造を提供することにより、上記目的を達成したものである。
【０００９】
また、本発明は、シート材料を用いて形成された袋容器に設けられた注出口部材に、着脱可能に装着されるポンプディスペンサーであって、前記ポンプディスペンサーのポンプハウジングは、前記注出口部材のノズル部の中空内部に挿通可能な外径を有していると共に、前記ノズル部の内周面と前記ポンプハウジングとの間の隙間を埋める、前記ポンプハウジングの外周面に沿って環状に突出する弾性体シーリングリングを備えており、前記弾性体シーリングリングを前記ノズル部の内周面に密着させた状態で、前記袋容器に前記注出口部材に装着されるポンプディスペンサーを提供することにより、上記目的を達成したものである。
【００１０】
さらに、本発明は、注出口部材が設けられており、該注出口部材にポンプディスペンサーが装着されている、シート材料を用いて形成された袋容器であって、前記注出口部材は、前記シート材料に固着される固着部と、該固着部から立設して設けられた円筒形状のノズル部とを備えており、前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、前記ポンプディスペンサーは、前記弾性体シーリングリングを前記ノズル部の内周面に密着させた状態で、前記注出口部材に装着されている袋容器を提供することにより、上記目的を達成したものである。
【００１１】
さらにまた、本発明は、注出口部材にポンプディスペンサーが装着されている、シート材料を用いて形成された袋容器と、該袋容器を着脱可能に係止して、該袋容器を支持した状態で配設する袋容器用ホルダーとを含む組合せセット製品であって、前記注出口部材は、前記シート材料に固着される固着部と、該固着部から立設して設けられた円筒形状のノズル部とを備えており、前記ポンプディスペンサーのポンプハウジングは、前記ノズル部の中空内部に挿通可能な外径を有していると共に、前記ノズル部の内周面と前記ポンプハウジングとの間の隙間を埋めて、前記ポンプハウジングの外周面に沿って環状に突出する弾性体シーリングリングを備えており、前記ポンプディスペンサーは、前記弾性体シーリングリングを前記ノズル部の内周面に密着させた状態で、前記注出口部材に装着されており、前記袋容器用ホルダーは、前記袋本体を吊り下げた状態で保持すると共に、前記ポンプディスペンサーのノズルヘッドを押し下げる力を支持する組合せセット製品を提供することにより、上記目的を達成したものである。
【発明の効果】
【００１２】
本発明の袋容器用ポンプディスペンサーの取付け構造、ポンプディスペンサー、袋容器、又は組合せセット製品によれば、ポンプディスペンサーを袋容器の注出口部材に装着する際の気密性を、簡単な操作によって、安定した状態で容易に確保することができる。
【図面の簡単な説明】
【００１３】
【図１】本発明の好ましい第１実施形態に係る袋容器用ポンプディスペンサーの取付け構造を説明する、袋容器用ホルダーに支持された袋容器の注出口部材に、ポンプディスペンサーを装着した状態の図２のＡ−Ａに沿った略示断面図である。
【図２】袋容器用ホルダーによって袋容器を支持した状態の斜視図である。
【図３】図１の要部拡大図である。
【図４】袋容器の注出口部材に装着されるポンプディスペンサーの略示断面図である。
【図５】本発明の好ましい第１実施形態に係る袋容器用ポンプディスペンサーの取付け構造を説明する、他の袋容器用ホルダーに支持された袋容器の注出口部材に、ポンプディスペンサーを装着した状態の図６のＢ−Ｂに沿った略示断面図である。
【図６】他の袋容器用ホルダーによって袋容器を支持した状態の斜視図である。
【図７】本発明の好ましい第２実施形態に係る袋容器用ポンプディスペンサーの取付け構造を説明する、袋容器用ホルダーに支持された袋容器の注出口部材に、ポンプディスペンサーを装着した状態の略示断面図である。
【発明を実施するための形態】
【００１４】
本発明の好ましい第１実施形態に係る袋容器用ポンプディスペンサーの取付け構造１０は、図１〜図３に示すように、好ましく注出口部材２０を袋容器用ホルダー４０に着脱可能に係止して、袋容器用ホルダー４０に支持された状態で配設されている袋容器１１に、ポンプディスペンサー３０を装着する際に、袋本体１２に収容された内容液がポンプ操作によって減少してゆくのに伴って、袋本体１２の内部に空気が流入しないようにする気密性を保持した状態で、ポンプディスペンサー３０を、注出口部材２０を介して袋容器１１に取り付けることを可能にするための取付け構造として採用されたものである。
【００１５】
すなわち、袋容器１１の袋本体１２は、軟質の柔らかいシート材料を用いて形成されており、空気置換によることなく、袋本体１２を減容変形させながら内容液を汲み上げて行くことで、収容された内容液の残量を少なくできる一方で、ポンプ操作により内容液が減少してゆくのに伴って、袋本体１２の内部に空気が流入すると、袋容器１１を十分に減容させることができなくなって、残量が増加することになる。本第１実施形態の取付け構造１０は、例えばポンプディスペンサー３０のポンプハウジング３１を、袋容器１１の注出口部材２０に上方から押し込んでゆくだけの、簡単な操作によって、装着キャップ部３２が注出口部材２０に螺着されたことによるシール性に頼ることなく、ポンプディスペンサー３０を袋容器１１に取り付けた際の、ポンプディスペンサー３０と注出口部材２０との気密性を、安定した状態で容易に確保できるようにする機能を備えている。
【００１６】
そして、本第１実施形態の袋容器用ポンプディスペンサーの取付け構造１０は、図１及び図３に示すように、シート材料を用いて形成された袋容器１１の好ましくは上端部に設けられた注出口部材２０に、着脱可能に装着されるポンプディスペンサー３０を取り付けるための取付け構造であって、注出口部材２０は、袋容器１１の好ましくは上端部に固着される固着部２１と、固着部２１から立設して設けられた円筒形状のノズル部２２とを備えている。ポンプディスペンサー３０のポンプハウジング３１は、ノズル部２２の中空内部に挿通可能な外径を有していると共に、ノズル部２２の内周面とポンプハウジング３１との間の隙間を埋めて、ポンプハウジング３１の外周面に沿って環状に突出する弾性体シーリングリング３３を備えている。ポンプディスペンサー３０は、弾性体シーリングリング３３の、好ましくはポンプハウジング３１の径方向外方の先端部３３ａをノズル部２２の内周面に密着させた状態で、注出口部材２０に装着されている。
【００１７】
本第１実施形態では、袋容器１１は、図２にも示すように、軟質の柔らかいシート材料を用いて形成された袋本体１２と、袋本体１２の天面部１２ａに取り付けられた注出口部材２０とを含んで構成されている。袋容器１１の袋本体１２は、例えば、ポリプロピレン樹脂、ポリエチレン樹脂といったポリオレフィン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等を、軟質の柔らかいシート材料として好ましく用いることによって、形成されている。本第１実施形態では、公知の各種の方法を用いて、天面シートと側面シートと底面シートとを接合することによって、天面シートによる天面部１２ａと、側面シートによる側面部１２ｂと、底面シートによる底面部１２ｃとを含む、有底及び有天の縦長筒状の袋本体１２が形成される。
【００１８】
なお、袋本体１２は、天面シートや底面シートを含むものである必要は必ずしも無く、パウチ形状等の袋本体であっても良く、自立可能なものに限られない。袋本体１２は、側面部１１ｂを構成する正面側及び背面側の側面シートの側縁部の間に、２つ折りされたシートを挟み込むことによって形成された、ガセット形状を備える袋本体であっても良い。袋本体１２は、天面部１２ａ、側面部１２ｂ、及び底面部１２ｃが、連続する一枚のシート材料を用いて形成されていても良い。袋本体１２は、天面部１２ａ、側面部１２ｂ、及び底面部１２ｃのうちの、任意の２か所又は３か所の部分を連続する一枚のシート材料を用いて形成し、残りの部分を別のシート材料を用いて形成することもできる。天面部１２ａ、側面部１２ｂ、及び底面部１２ｃのそれぞれを、別のシート材料を用いて形成することもできる。袋本体１２には、内容液として、例えばシャンプー剤、コンディショナー剤、トリートメント剤、ボディウォッシュ剤等が収容されている。
【００１９】
袋容器１１の注出口部材２０は、例えばＰＥ（ポリエチレン）、ＰＰ（ポリプロピレン）等の合成樹脂からなる公知の射出成形品であって、例えば外周面に螺条が形成された円筒形状のノズル部２２と、ノズル部２２の下端部から外方に向かって平坦に延出する固着部２１とが、一体成形された形状を備えている。注出口部材２０は、ノズル部２２を、袋本体１２の天面部１２ａに設けられた開口穴１２ｄに挿通させるとともに、天面部１２の下面に固着部２１の上面を接合することによって、袋本体１２に取り付けられている。
【００２０】
また、ノズル部２２の外周部分には、外側に円環状に張り出して、環状係止ツバ部２３が、上下方向に間隔をおいて一対設けられている。これらの一対の環状係止ツバ部２３の間の部分を、後述する袋容器ホルダー４０の天板部４０ａに形成された係止用切欠き部４０ｄ（図２参照）の切欠き縁部に差し込むことで、注出口部材２０のノズル部２２を天板部４０ａに係止させる。これによって、袋容器１１を、袋容器ホルダー４０に装着した状態で、安定して保持できるようになっている。ノズル部２２の外周部分における環状係止ツバ部２３よりも上方部分には、後述するポンプディスペンサー３０の装着キャップ部３２を螺着させる、雄ネジ凸条２２ａ（図３参照）が形成されている。
【００２１】
注出口部材２０の固着部２１は、ノズル部２２の下端部から水平方向に円形状に張り出すようにして、ノズル部２２に連続して一体として設けられている。固着部２１の外周縁部の平面視形状は、円形状に限られず、楕円形状、六角形状等であっても良い。
【００２２】
本第１実施形態では、袋容器１１は、好ましくは、当該袋容器１１を着脱可能に係止して当該袋容器１１を支持した状態で配設する、袋容器用ホルダーと組み合わせて使用される、組合せセット製品として製造したり、販売したりすることもできる。すなわち、袋容器１１は、上述のように、好ましく注出口部材２０を袋容器用ホルダー４０に係止して、袋容器用ホルダー４０に支持された状態で配設することができる。袋容器用ホルダー４０は、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなる射出成形品となっている。袋容器用ホルダー４０は、図２に示すように、例えば略半トラック円形状の平面形状を備える天板部４０ａと、天板部４０ａの３方の辺部から下方に連続して延設する立設側板部４０ｂとを含んで形成されている。
【００２３】
天板部４０ａの残りの１辺部の下方領域は、袋容器１１を袋容器用ホルダー４０に着脱する操作を可能にする、着脱開口部となっている。立設側板部４０ｂの底辺部分は、袋容器用ホルダー４０を、袋容器１１と共に載置面に載置する際の、立設脚部４０ｃを形成している。立設側板部４０ｂは、載置面に載置された際に、装着される袋容器１１の袋本体１２の高さよりもより高く立設することで、天板部４０ａを、袋本体１２よりも高い位置に配置できるようになっている。これによって、注出口部材２０を天板部４０ａに係止して、袋容器１１を袋容器ホルダー４０に装着した際に、袋容器１１を、天板部４０ａから吊り下げた状態で保持できるようになっている。
【００２４】
また、本第１実施形態では、袋容器用ホルダー４０の天板部４０ａには、下方領域が着脱開口部となっている１辺部の中央部分から、これと対向する他の1辺部に向けて、当該天板部４０ａの中心部分まで切り欠かれた、係止用切欠き部４０ｄが形成されている。係止用切欠き部４０ｄは、好ましくは、袋容器１１の注出口部材２０のノズル部２２の外径と、同様の切欠き幅を備えると共に、天板部４０ａの中心部分で半円形状に腕曲していることで、平面視形状が略Ｕ形状の欠き縁部を備えるように形成されている。これによって、上述のように、注出口部材２０のノズル部２２に設けられた一対の環状係止ツバ部２３の間の部分を、係止用切欠き部４０ｄの切欠き縁部に係止させながら、注出口部材２０を係止用切欠き部４０ｄに、これの奥部に至るまで差し込むことにより、注出口部材２０のノズル部２２を天板部４０ａの中心部分に配置した状態で、袋容器１１を、袋容器ホルダー４０に安定した状態で装着できるようになっている。またこれによって、ノズルヘッド３６を押し下げることによるポンプ操作時に、ノズルヘッド３６を押し下げる力を、注出口部材２０を介して袋容器用ホルダー４０に支持させることができるようになっている。
【００２５】
袋容器１１の注出口部材２０に装着されるポンプディスペンサー３０は、図４にも示すように、ポンプハウジング３１、吸上げ筒部３５、ノズルヘッド（押圧操作部）３６等を備える、公知の吐出具である。ポンプディスペンサー３０のポンプハウジング３１は、ポンプ室（図示せず）、ボール弁（図示せず）、好ましくはバネによる付勢手段（図示せず）等を内部に含んで構成されている。ポンプディスペンサー３０は、横方向吐出流路３６ａが内部に形成された、押圧操作部として機能するノズルヘッド３６を備えている。ポンプディスペンサー３０は、ノズルヘッド３６に一体として接続した、横方向吐出流路３６ａと連続する縦方向吐出流路３７ａを内部に備えるピストン３７の作用によって、ポンプハウジング３１内のポンプ室を拡縮することにより、内容液を袋本体１２から吸い上げて、ノズルヘッド３６の先端吐出口３６ｂから吐出させるようになっている。
【００２６】
すなわち、ポンプディスペンサー３０による吐出機構では、ノズルヘッド３６を押し下げることによりピストン３７が往動して下降すると、ピストン３７によって圧縮されたポンプ室内の内容液が、ピストン３７の縦方向吐出流路３７ａ及び横方向吐出流路３６ａを経て、ノズルヘッド３６の先端吐出口３６ｂから吐出される。他方、内容液の吐出後に、バネによる付勢手段によりピストン３７が復動して上昇すると、袋本体１２に収容された内容液が、吸上げ筒部３５を介して、ポンプハウジング３１の内部の減圧されたポンプ室に吸い込まれる。このようなノズルヘッド３６への押圧によるポンプ操作を、所定回数行うことによって、必要量の内容液を吸上げ筒部３５を介して袋本体１２から吸い上げて、ノズルヘッド３６の先端吐出口３６ｂから吐出させることができるようになっている。
【００２７】
また、本第１実施形態では、ポンプディスペンサー３０には、ポンプハウジング３１の上端部に一体として接続させて、装着キャップ部３２が取り付けられている。装着キャップ部３２は、内側面に雌ネジ凸条３２ａが形成された円筒形状の螺着スカート部３２ｂと、螺着スカート部３２ｂの上方に一体として設けられた円錐台形状のガイド支持部３２ｃと、ガイド支持部３２ｃの天面部を貫通してこれの上方及び下方に延設して設けられた筒状ガイド部３２ｄとを含んで形成されている。ポンプディスペンサー３０のポンプハウジング３１を、袋容器１１の注出口部材２０のノズル部２２に押し込むと共に、螺着スカート部３２ｂの雌ネジ凸条３２ａを、袋容器１１のノズル部２２の外周部分に設けられた雄ネジ凸条２２ａに螺着することによって、ポンプディスペンサー３０を、袋容器１１の注出口部材２０に装着することができる（図３参照）。
【００２８】
装着キャップ部３２の筒状ガイド部３２ｄは、ガイド支持部３２ｃを介して注出口部材２０に螺着された装着キャップ部３２から支持されることで、注出口部材２０のノズル部２２と同心状に配置された状態で設けられている。筒状ガイド部３２ｄは、ポンプディスペンサー３０のピストン３７の、内部に縦方向吐出流路３７ａが形成された円筒部３７ｂの外径と、同様の内径を有しており、ガイド支持部３２ｃの天面部の上方及び下方に延設して、相当の長さで設けられている。これによって、ピストン３７を上下に往復移動させる際に、ピストン３７を摺動させることによりガイドして、上述のノズルヘッド３６を押し下げることによるポンプ操作を、安定した状態で行なうことができるようになっている。
【００２９】
また、筒状ガイド部３２ｄの、ガイド支持部３２ｃの天面部よりも上方に延設する部分の外周面には、仮止用雄ネジ凸条３２ｅが設けられている。この仮止用雄ネジ凸条３２ｅに、ノズルヘッド３６から下方に突出して配置された仮止用スカート部３６ｃの、内周面に形成された仮止用雌ネジ凸条３６ｄを螺着することにより、例えばポンプディスペンサー３０を使用していない時に、ピストン３７を最も押し込まれた位置に仮止めして、ノズルヘッド３６が誤って押し下げられることになるの、回避することが可能になる。
【００３０】
さらに、装着キャップ部３２のガイド支持部３２ｃには、天面部の外周縁部から下方に突出して、嵌着リング部３２ｆが、筒状ガイド部３２ｄの外周面との間に間隔をおいて、筒状ガイド部３２ｄと同心状に配置されて設けられている。嵌着リング部３２ｆの内周面と筒状ガイド部３２ｄの外周面との間の間隔部分に、ポンプハウジング３１の上端部から一体となって上方に突出する係着リング部３１ａを、嵌め込むようして係着させることにより、ポンプディスペンサー３０に装着キャップ部３２を、一体として取り付けることが可能になる。これらによってポンプディスペンサー３０は、装着キャップ部３２を介して、袋容器１１の注出口部材２０に着脱可能に装着されることになる。
【００３１】
そして、本第１実施形態の袋容器用ポンプディスペンサーの取付け構造１０は、図１及び図３に示すように、ポンプディスペンサー３０のポンプハウジング３１が、注出口部材２０のノズル部２２の中空内部に挿通可能な外径を有していると共に、ノズル部２２の内周面とポンプハウジング３１との間の隙間を埋めて、ポンプハウジング３１の外周面に沿って環状に突出する、弾性体シーリングリング３３を備えている。
【００３２】
すなわち、本第１実施形態では、注出口部材２０の円筒形状のノズル部２２は、例えば１０〜２５ｍｍ程度の内径を有する、円形の中空の断面形状を備えており、ポンプディスペンサー３０のポンプハウジング３１は、９〜２４ｍｍ程度の外径を有する、円形の断面形状を備えている。これによって、ノズル部２２の内周面とポンプハウジング３１の外周面との間には、１〜３ｍｍ程度の幅の円環状に連続する隙間が保持されるようになっている。この円環状の隙間を埋めるようにして、弾性体シーリングリング３３が、ポンプハウジング３１の外周面に沿って環状に突出して設けられている。
【００３３】
ここで、弾性体シーリングリング３３を形成するための弾性体としては、天然ゴム、合成ゴム、エラストマー、ポリウレタン等を用いることができる。また弾性体シーリングリング３３を形成するための弾性体は、ＪＩＳ  Ｋ６２５３で規定する硬度が２０〜７０Ａ（Ａ型ショア硬度）の弾性体であることが好ましい。弾性体シーリングリング３３が、硬度が２０〜７０Ａの弾性体を用いて形成されていることにより、ポンプディスペンサー３０を袋容器１１の注出口部材２０に装着する際に、ポンプハウジング３１をノズル部２２に押し込んで行く押込み力を、適度な大きさとしつつも、ポンプディスペンサー３０と注出口部材２０との高い気密性が確保されるように、弾性体シーリングリング３３の形状等を容易に調整することが可能になる。
【００３４】
また、弾性体シーリングリング３３は、好ましくは、円形の断面形状を有するポンプハウジング３１の径方向外側に向けて先細りとなる部分を含む断面形状として、ポンプハウジング３１側の基端部を底辺部とする、三角形状の断面形状を備えている。弾性体シーリングリング３３が三角形状の断面形状を備えていることにより、ポンプディスペンサー３０を注出口部材２０に着脱する際の、ポンプハウジング３１のノズル部２２からの抜き差しを、よりスムーズに行うことが可能になる。
【００３５】
ここで、弾性体シーリングリング３３が三角形状の断面形状を備えている場合には、弾性体シーリングリング３３の、ポンプハウジング３１から注出口部材２０のノズル部２２の内周面に向けた突出高さは、ノズル部２２の内周面とポンプハウジング３１との間の隙間の間隔よりも、０．３〜３ｍｍ程度大きくなっていることが好ましく、０．５〜１ｍｍ程度大きくなっていることがさらに好ましい。これによって、ポンプディスペンサー３０を袋容器１１の注出口部材２０に装着する際に、ポンプハウジング３１をノズル部２２に押し込んで行く押込み力を、適度な大きさとしつつも、ポンプディスペンサー３０と注出口部材２０との高い気密性を確保することが可能になる。
【００３６】
ポンプディスペンサー３０は、弾性体シーリングリング３３とは異なる材質の合成樹脂から形成されており、弾性体シーリングリング３３を、ポンプディスペンサー３０のポンプハウジング３１の外周面に、一体として取り付ける方法としては、接着剤を用いた方法、熱融着による方法等を採用することができる。また、弾性体シーリングリング３３を、ポンプハウジング３１の外径よりも僅かに小さな内径を有する、弾性体からなる円筒形状の弾性スリーブ（図示せず）と共に一体成形し、弾性スリーブを、拡径するように弾性変形させながらポンプハウジング３１の外周面に装着することによって、弾性体シーリングリング３３を、ポンプハウジング３１の外周面に取り付けるようにすることもできる。弾性体シーリングリング３３は、ポンプハウジングの外周面に沿って、２段又は３段以上に設けることもできる。弾性体シーリングリング３３を複数段設けることにより、ポンプディスペンサー３０の垂直安定性を向上させ、ぐらつきを抑制することが可能となる。
【００３７】
本第１実施形態では、ポンプディスペンサー３０は、注出口部材２０を係止して袋容器用ホルダー４０に保持された袋容器１１の、当該注出口部材２０に、これの上方から吸上げ筒部３５及びポンプハウジング３１を挿入し、本第１実施形態の取付け構造１０によって、弾性体シーリングリング３３の、好ましくはポンプハウジング３１の径方向外方の環状の先端部３３ａを、ノズル部２２の内周面に密着させた状態で、当該注出口部材２０に装着されると共に、装着キャップ部３２をノズル部２２に螺着することによって、袋容器１１の注出口部材２０に着脱可能に取り付けることができる。
【００３８】
そして、本第１実施形態の袋容器用ポンプディスペンサーの取付け構造１０によれば、ポンプディスペンサー３０を袋容器１１の注出口部材２０に装着する際の気密性を、簡単な操作によって、安定した状態で容易に確保することが可能になる。
【００３９】
すなわち、本第１実施形態によれば、ポンプディスペンサー３０のポンプハウジング３１は、ノズル部２２の中空内部に挿通可能な外径を有していると共に、ノズル部２２の内周面とポンプハウジング３１との間の隙間を埋めて、ポンプハウジング３１の外周面に沿って環状に突出する弾性体シーリングリング３３を備えている。
【００４０】
これによって、本第１実施形態によれば、ポンプディスペンサー３０のポンプハウジング３１を、袋容器１１の注出口部材２０に上方から押し込んでゆくだけの、簡単な操作によって、例えば装着キャップ部３２が注出口部材２０に螺着されたことによるシール性に頼ることなく、ポンプディスペンサー３０を袋容器１１に取り付けた際の、ポンプディスペンサー３０と注出口部材２０との気密性を、安定した状態で容易に確保することが可能になる。またこれによって、例えば装着キャップ部３２のノズル部２２への螺着が緩んだ場合でも、気密性が損なわれないようにすることが可能になる。またこれによって、袋本体１２に収容された内容液が、ポンプディスペンサー３０のポンプ操作によって減少してゆくのに伴って、袋本体１２の内部に空気が流入しないようにして、袋本体１２が十分に減容されなくなることで内容液の残量が増えるのを、効果的に回避することが可能になる。
【００４１】
図５は、上記の第１実施形態の袋容器用ポンプディスペンサーの取付け構造１０によって、袋本体１２の好ましくは上端部に設けられた注出口部材２０に、ポンプディスペンサー３０が着脱可能に装着された袋容器１１が、図１に示す袋容器用ホルダー４０とは異なる構成の他の袋容器用ホルダー５０によって支持されている形態を示すものである。なお、図５に示す形態に関して、図１に示す形態と異なる構成部分について主として説明し、同様の構成部分については同一の符号を付して説明を省略している。特に言及しない構成部分については、図１に示す形態に関する説明が適宜適用される。
【００４２】
すなわち、図５に示す形態では、袋容器用ホルダー５０は、図６にも示すように、天面部が開口面となっている円筒形状の筒状胴部５０ａと、筒状胴部５０ａの底面部を閉塞すると共に、立設脚部となる底部５０ｂとを含んで構成されている。また、図５に示す形態では、ポンプディスペンサー３０に一体として取り付けられた装着キャップ部３２には、円筒形状の螺着スカート部３２ｂと円錐台形状のガイド支持部３２ｃとの接続部分から外側に張り出して、円盤形状の係止蓋部３２ｇが設けられている。係止蓋部３２ｇは、筒状胴部５０ａの外径と同様の外径を備えると共に、外周縁部から下方に突出して、袋容器用ホルダー５０の筒状胴部５０ａの天端部に係止される周縁係止部３２ｈを有している。周縁係止部３２ｈを、袋容器用ホルダー５０の筒状胴部５０ａの天端部に係止することにより、注出口部材２０にポンプディスペンサー３０が装着された袋容器１１を、注出口部材２０の一対の環状係止ツバ部２３を介することなく支持して、袋容器用ホルダー５０の内側に袋本体１２を吊り下げた状態で保持することが可能になる。
【００４３】
図５に示す形態によっても、上述の第１実施形態の袋容器用ポンプディスペンサーの取付け構造１０により、袋本体１２の上端部に設けられた注出口部材２０に、ポンプディスペンサー３０が着脱可能に装着されているので、図１に示す形態と同様の作用効果が奏される。また、係止蓋部３２ｇの周縁係止部３２ｈを、筒状胴部５０ａの天端部に係止して、袋容器１１を容器ホルダー５０に保持しているので、ノズルヘッド３６を押し下げることによるポンプ操作時に、注出口部材２０の一対の環状係止ツバ部２３を介することなく、ノズルヘッド３６を押し下げる力を袋容器用ホルダー５０に直接支持させることが可能になって、ポンプ操作を、より安定した状態で行なうことが可能になる。
【００４４】
図７は、本発明の好ましい第２実施形態に係る袋容器用ポンプディスペンサーの取付け構造１０’を説明するものである。本第２実施形態の取付け構造１０’では、ポンプディスペンサー３０に、円筒形状の螺着スカート部や円錐台形状のガイド支持部は設けられておらず、ポンプ操作時における上方からの荷重は、注出口部材２０のノズル部２２の下部に設けられた絞り突起２４に、ポンプハウジング３１の外周面に沿って環状に突出する弾性体シーリングリング３３’を係止することで支持している構成が、図１に示す上記の第１実施形態の取付け構造１０と相違している。なお、図７に示す第２実施形態に関して、図１に示す第１実施形態と異なる構成部分について主として説明し、同様の構成部分については同一の符号を付して説明を省略している。特に言及しない構成部分については、図１に示す上記の第１実施形態に関する説明が適宜適用される。
【００４５】
すなわち、図７に示す第２実施形態では、ポンプディスペンサー３０のポンプハウジング３１の上端部から上方に連続して延設して、筒状ガイド部３２ｄ’が設けられており、ポンプハウジング３１の外周面には、ノズル部２２の内周面とポンプハウジング３１との間の隙間を埋めて、ポンプハウジング３１の外周面に沿って径方向外側に向けて環状に突出する、弾性体シーリングリング３３’が設けられている。本第２実施形態では、弾性体シーリングリング３３’は、好ましくは、ポンプハウジング３１の径方向外側に向けて先細りとなる部分を含む断面形状である、台形状の断面形状として、ポンプハウジング３１側の基端部を下底とし、下底と下辺部との角部が直角となった、直角台形状の断面形状を備えている。ノズル部２２の下部の内側面から内側に突出する絞り突起２４に、弾性体シーリングリング３３’が上方から係止されることによって、ポンプ操作時における上方からの荷重となるノズルヘッド３６を押し下げる力を、支持できるようになっている。
【００４６】
図７に示す第２実施形態の取付け構造１０’によっても、ポンプディスペンサー３０のポンプハウジング３１は、ノズル部２２の中空内部に挿通可能な外径を有していると共に、ノズル部２２の内周面とポンプハウジング３１との間の隙間を埋めて、ポンプハウジング３１の外周面に沿って環状に突出する弾性体シーリングリング３３’を備えているので、上記の第１実施形態の取付け構造１０と同様の作用効果が奏される。また、絞り突起２４に弾性体シーリングリング３３’が係止されることで、ポンプ操作時における上方からの荷重を支持するようになっているので、ポンプディスペンサー３０が袋容器１１に深く入り込みすぎることがなく、吸上げ筒部３５の下端が袋容器１１の底部と接触して、内容液の吸い込み口が閉塞されるのを効果的に防止することが可能になる。
【００４７】
なお、本発明は上記実施形態に限定されることなく種々の変更が可能である。例えば、ポンプディスペンサーが注出口部材に着脱可能に装着される袋容器は、袋容器用ホルダーに支持された状態で配設されるものである必要は必ずしも無く、その他の方法によって、支持された状態で保持されるものであっても良い。手で把持して用いるものであっても良い。注出口部材は、袋容器の上端部以外の部分に設けられていても良い。
【符号の説明】
【００４８】
１０，１０’  袋容器用ポンプディスペンサーの取付け構造
１１  袋容器
１２  袋本体
１２ａ  天面部
１２ｂ  側面部
１２ｃ  底面部
１２ｄ  開口穴
２０  注出口部材
２１  固着部
２２  ノズル部
２３  環状係止ツバ部
２４  絞り突起
３０  ポンプディスペンサー
３１  ポンプハウジング
３２  装着キャップ部
３２ｂ  螺着スカート部
３２ｃ  ガイド支持部
３２ｄ，３２ｄ’  筒状ガイド部
３２ｇ  係止蓋部
３２ｈ  周縁係止部
３３，３３’  弾性体シーリングリング
３３ａ  先端部
３５  吸上げ筒部
３６  ノズルヘッド
３６ａ  横方向吐出流路
３６ｂ  先端吐出口
３７  ピストン
３７ａ  縦方向吐出流路
４０，５０  袋容器用ホルダー
４０ａ  天板部
４０ｂ  立設側板部
４０ｃ  立設脚部
４０ｄ  係止用切欠き部
５０ａ  筒状胴部
５０ｂ  底部
【図１】
2019051981.tif 000003
【図２】
2019051981.tif 000004
【図３】
2019051981.tif 000005
【図４】
2019051981.tif 000006
【図５】
2019051981.tif 000007
【図６】
2019051981.tif 000008
【図７】
2019051981.tif 000009